(57)【要約】【課題】保護継電器の種類を適確に判別し、適切な試験用電気信号を継電器に与えられ、継電器の試験の信頼性及び作業性を向上できる切替装置を提供する。【解決手段】切替装置１は、動作試験時に参照される接続種類識別情報が付与される保持部３を有する継電器２と、この継電器２を試験する試験装置１１と、の間に介在され、継電器２の種類に応じて、接続の切り替えが可能な内部接続回路を収容した回路ユニット６の他、識別情報取得装置４及びコントローラ７を備える。コントローラ７は、装置４から出力される接続種類識別情報を取得した結果を示す信号に基づいて、継電器２の種類を判別した結果に応じて、接続切替の変更指令となる接続切替制御信号を内部接続回路へ出力して、接続の切り替えを変更設定する。これにより、試験装置１１から適切な試験用電気信号が内部接続回路を通して継電器２に与えられる。【選択図】図１
2019168427.tif 000002
【特許請求の範囲】
【請求項１】
動作試験時に参照される接続種類識別情報が予め付与された保護継電器と、前記保護継電器を試験する試験装置と、の間に介在され、当該接続種類識別情報に応じた接続切替制御信号に従って、当該保護継電器と当該試験装置との接続切り替えが可能な内部接続回路を備えた保護継電器試験用切替装置であって、
前記保護継電器から前記接続種類識別情報を取得し、接続種類識別情報信号を出力する識別情報取得装置と、
前記接続種類識別情報信号に基づいて、前記保護継電器の接続種類を判別し、当該判別の結果に応じて、前記接続切り替えを行うための前記接続切替制御信号を前記内部接続回路へ出力して、当該接続切り替えを変更設定する制御装置と、
を備える保護継電器試験用切替装置。
【請求項２】
前記内部接続回路は、前記接続切替制御信号に従って、前記接続切り替えが変更設定されることにより、前記試験装置からの試験用電気信号に示される試験要素及び試験相に応じた試験用電気信号を前記保護継電器に供給する
請求項１に記載の保護継電器試験用切替装置。
【請求項３】
前記内部接続回路を収納した回路ユニットを備え、
前記保護継電器と前記回路ユニットとは、ケーブルコネクタにより接続される
請求項１又は２に記載の保護継電器試験用切替装置。
【請求項４】
前記制御装置及び前記回路ユニットは、ケース内に収納され、
前記識別情報取得装置は、前記ケース内の前記制御装置に対して、ケーブルコネクタにより接続される
請求項３に記載の保護継電器試験用切替装置。
【請求項５】
接続種類識別情報が予め付与された保護継電器と、前記保護継電器を試験する試験装置と、の間に介在される接続切り替えが可能な内部接続回路に対し、当該接続種類識別情報に応じた接続切替制御信号に従って、当該保護継電器と当該試験装置との接続切り替えを変更設定する保護継電器試験用切替方法であって、
識別情報取得装置によって、前記保護継電器から取得した前記接続種類識別情報を、接続種類識別情報信号として出力する第１の工程と、
制御装置によって、前記接続種類識別情報信号に基づいて、前記保護継電器の接続種類を判別し、当該判別の結果に応じて、前記接続切り替えを行うための前記接続切替制御信号を前記内部接続回路へ出力して、当該接続切り替えを変更設定する第２の工程と、
を有する保護継電器試験用切替方法。
【発明の詳細な説明】
【技術分野】
【０００１】
本発明は、鉄道向け配電変電所等で使用される系統保護用の保護継電器の動特性を、試験装置を用いて試験する際の、接続の切り替えに適用される保護継電器試験用切替装置及び保護継電器試験用切替方法に関する。
【背景技術】
【０００２】
従来、保護継電器の試験を短時間で実施する切替装置では、保護継電器の種類に応じて試験用電気信号の入力を容易にするために、内部接続回路における接続の切り替えをスイッチ操作で行う技術が知られている。
【０００３】
これに関連する周知技術として、保護継電器との接続、保護継電器の種類、試験装置の試験要素に応じて、入出力切替操作を容易にすることできる保護継電器試験用切替装置及びその切替操作方法（例えば、特許文献１参照）が挙げられる。
【先行技術文献】
【特許文献】
【０００４】
【特許文献１】特許第３６４３３５７号公報
【発明の概要】
【発明が解決しようとする課題】
【０００５】
上記特許文献１では、出力切替操作が容易となり、試験作業の簡素化、確実化が図られ、信頼性及び作業性を向上させることができる。具体的には、特許文献１に係る保護継電器は、切替装置の内部接続回路における接続の切り替えを変更するため、装置枠体に設けられた要素切替名板の操作情報に従って、複数のスイッチの操作を手動で行うように構成されている。即ち、特許文献１では、電流ロータリースイッチ、電圧ロータリースイッチ、トグルスイッチのオン・オフ設定が手動で行われる。
【０００６】
しかしながら、このような構成であれば、操作者が要素切替名板を見誤ってスイッチ操作の設定を間違えることが考えられる。このような場合には、過大な試験用電気信号が保護継電器に入力され、焼損等のトラブルを起こす可能性がある。
【０００７】
本発明は、このような問題点を解決すべくなされたものであり、保護継電器の試験の信頼性及び作業性を向上できる保護継電器試験用切替装置及び保護継電器試験用切替方法を提供することを目的とする。
【課題を解決するための手段】
【０００８】
上記目的を達成するため、本発明の保護継電器試験用切替装置は、動作試験時に参照される接続種類識別情報が予め付与された保護継電器と、保護継電器を試験する試験装置と、の間に介在され、接続種類識別情報に応じた接続切替制御信号に従って、保護継電器と試験装置との接続切り替えが可能な内部接続回路を備えた構成であって、保護継電器から接続種類識別情報を取得し、接続種類識別情報信号として出力する識別情報取得装置と、接続種類識別情報信号に基づいて、保護継電器の接続種類を判別し、判別の結果に応じて、接続切り替えを行うための接続切替制御信号を内部接続回路へ出力して、接続切り替えを変更設定する制御装置と、を備える。
【０００９】
また、上記目的を達成するため、本発明の保護継電器試験用切替方法は、接続種類識別情報が予め付与された保護継電器と、保護継電器を試験する試験装置と、の間に介在される接続切り替えが可能な内部接続回路に対し、接続種類識別情報に応じた接続切替制御信号に従って、保護継電器と試験装置との接続切り替えを変更設定する方法であって、識別情報取得装置によって、保護継電器から取得した接続種類識別情報を、接続種類識別情報信号として出力する第１の工程と、制御装置によって、接続種類識別情報信号に基づいて、保護継電器の接続種類を判別し、判別の結果に応じて、接続切り替えを行うための接続切替制御信号を内部接続回路へ出力して、接続切り替えを変更設定する第２の工程と、を有する。
【発明の効果】
【００１０】
本発明によれば、上記構成又は方法により、保護継電器の種類を適確に判別し、適切な試験用電気信号を保護継電器に与えられ、保護継電器の試験の信頼性及び作業性を向上できる。
【図面の簡単な説明】
【００１１】
【図１】本発明の実施の形態１に係る保護継電器試験用切替装置の基本構成を、周辺装置の接続関係を含めて示した概略図である。
【図２】図１に示す保護継電器試験用切替装置の処理動作を、周辺装置を含めて示した概略図である。
【発明を実施するための形態】
【００１２】
以下、本発明の保護継電器試験用切替装置及び保護継電器試験用切替方法に係る実施の形態について、図面を参照して詳細に説明する。尚、以下の説明では、保護継電器試験用切替装置を、単に「切替装置」と称する。
【００１３】
実施の形態１．
図１は、本発明の実施の形態１に係る切替装置１の基本構成を、周辺装置の接続関係を含めて示した概略図である。
【００１４】
図１を参照すれば、この切替装置１は、保護継電器２と、保護継電器２の動特性を試験する試験装置１１と、の間に介在される。ここで、保護継電器２は、動作試験時に参照される接続種類識別情報が予め付与された接続種類識別情報保持部３を有している。
【００１５】
切替装置１は、構成上、保護継電器２の種類に応じて、受信する接続切替制御信号に従って、接続切り替えが可能な内部接続回路を収納した回路ユニット６を備える。それ故、保護継電器２と、保護継電器２を試験するための試験装置１１とは、切替装置１の周辺装置とみなせる。因みに、上述した接続種類識別情報とは、試験装置１１を用いた動作試験時に必要な保護継電器２に固有の接続種類識別情報を含む固有識別情報であり、後述するように接続種類識別情報保持部３に対して、接続名板、バーコード等で付与される。
【００１６】
また、実施の形態１に係る切替装置１は、識別情報取得装置４と、制御装置としてのコントローラ７と、を備える。識別情報取得装置４は、保護継電器２の接続種類識別情報保持部３から接続種類識別情報を取得し、接続種類識別情報信号としてコントローラ７へ出力する。コントローラ７は、識別情報取得装置４からの接続種類識別情報信号に基づいて、保護継電器２の種類を判別する。更に、コントローラ７は、判別の結果に応じて、接続切り替えの変更指令となる接続切替制御信号を、回路ユニット６の内部接続回路へ出力して、接続切り替えを変更設定する。
【００１７】
上述した各部について、回路ユニット６及びコントローラ７は、ケース５内に収納され、容易に可搬できるようになっている。識別情報取得装置４は、ケース５内のコントローラ７に対して、ケーブルコネクタ９により接続される。試験装置１１は、回路ユニット６に対してケーブルコネクタ１０により接続される。保護継電器２と回路ユニット６とは、ケーブルコネクタ８により接続される。ケース５は、例えばジュラルミン製とする場合を例示できる。
【００１８】
識別情報取得装置４は、機能上、保護継電器２内の接続種類識別情報保持部３から接続種類識別情報を取得し、コントローラ７に引き渡すことができれば、使用する機器を問わない。接続種類識別情報保持部３には、接続名板、バーコード等で接続種類識別情報が付与されている。例えば、接続種類識別情報がバーコードで付与されていれば、情報取得装置４には、バーコードリーダを適用できる。また、接続種類識別情報が走査により読み取り可能な他のコード形式で付与されていれば、情報取得装置４には、スキャナを適用できる。因みに、これらのバーコードリーダ、スキャナ等は、光学的な読み取り装置とみなせる。
【００１９】
その他、識別情報取得装置４には、保護継電器２の接続種類識別情報保持部３を撮像するカメラ等の撮像装置を適用できる。識別情報取得装置４に撮像装置を用いた場合には、一例として、撮像装置による接続名板の撮像情報に対応する画像信号をコントローラ７に引き渡し、コントローラ７により画像処理して接続種類識別情報を判別することになる。コントローラ７は、接続種類識別情報を判別できれば良く、例えば、プログラマブルロジックコントローラＰＬＣを用いるのが好適である。
【００２０】
尚、保護継電器２に接続種類識別情報保持部３を持たせる構成は、様々な形態を採用できるため、特に問わないものとする。例えば、接続種類識別情報を保護継電器２に直接刻印する場合、接続種類識別情報を有する別部材を保護継電器２に組み付ける、或いは接合・接着させる場合、接続種類識別情報が印字されたラベル等を保護継電器２に貼り付ける場合等が挙げられる。
【００２１】
図２は、実施の形態１に係る切替装置１の処理動作を、周辺装置を含めて示した概略図である。
【００２２】
図２を参照すれば、切替装置１を介在させ、試験装置１１から保護継電器２の試験を実施する際、最初に、識別情報取得装置４によって、保護継電器２の接続種類識別情報保持部３から接続種類識別情報が取得される。この結果、識別情報取得装置４から出力された接続種類識別情報信号がコントローラ７に引き渡たされる。
【００２３】
次に、コントローラ７は、接続種類識別情報信号に基づいて、保護継電器２の種類を判別し、その判別の結果に応じて、接続切り替えの変更指令となる接続切替制御信号を回路ユニット６の内部接続回路へ出力する。これにより、回路ユニット６の内部接続回路では、接続切り替えが変更設定される。このため、試験装置１１から出力される試験用電気信号が、回路ユニット６の内部接続回路を通って保護継電器２に入力され、保護継電器２の試験が実施される。本実施の形態１に係る切替装置１では、コントローラ７が保護継電器２の種類を適確に判別し、回路ユニット６の内部接続回路における接続切り替えを変更設定できる。この結果、適切な試験用電気信号が保護継電器２に与えられ、人為的な間違いを防止することができる。
【００２４】
このように、回路ユニット６の内部接続回路は、試験装置１１からの試験用電気信号に示される試験要素及び試験相に応じて、接続切り替えが設定されるようになっている。換言すると、本実施の形態１の切替装置１では、コントローラ７による回路ユニット６の内部接続回路への接続切り替えの変更設定を、保護継電器２の種類を判別した結果に基づいて、自動で行う。このため、回路ユニット６の内部接続回路における接続切り替え設定の人為的な間違いを防止することができる。また、保護継電器２に適切な試験用電気信号を付与できるため、保護継電器２の焼損を無くすことができる。
【００２５】
更に、切替装置１の要部である回路ユニット６と、保護継電器２、識別情報取得装置４、試験装置１１との接続は、ケーブルコネクタ８〜１０によって、接続される構成となっている。このため、コネクタ同士の嵌合を確実に行うことができる。
【００２６】
更に、切替装置１の要部である回路ユニット６及びコントローラ７は、同一のケース５内に収納されており、容易に可搬できる構成となっている。このため、ケース５内にスペース上の余裕があれば、ケーブルコネクタ８〜１０を収納して自由に持ち運ぶことが可能となる。この結果、動作試験現場で各部を接続した上、簡単に保護継電器２の試験を実施できるという、実用的な便宜が図られる。
【００２７】
次に、本発明の切替装置１に係る切替方法について説明する。この切替方法では、切替装置１の機能構成として、以下の２つの要件を満たすものとする。第１の要件は、動作試験時に参照される接続種類識別情報が付与される保護継電器２と、この保護継電器２を試験する試験装置１１と、の間に介在される接続切り替えが可能な内部接続回路を有する事である。第２の要件は、内部接続回路に対し、保護継電器２の種類に応じて、接続切り替えを変更設定する機能を有する事である。
【００２８】
切替方法は、係る要件において、識別情報取得装置４によって、保護継電器２から接続種類識別情報を取得し、接続種類識別情報信号として出力する第１の工程を有する。また、コントローラ７によって、接続種類識別情報信号に基づいて、保護継電器の接続種類を判別し、判別の結果に応じて、接続切り替えを行うための接続切替制御信号を内部接続回路へ出力して、接続切り替えを変更設定する第２の工程を有する。
【００２９】
本発明の切替装置１に係る切替方法は、第１の工程及び第２の工程を有することにより、保護継電器２の種類を適確に判別し、適切な試験用電気信号を保護継電器２に与えることができる。この結果、保護継電器２の試験の信頼性及び作業性を向上させることができる。
【００３０】
尚、本発明は、上述した各実施の形態に限定されず、その技術的要旨を逸脱しない範囲で種々の変形が可能であり、特許請求の範囲に記載された技術思想に含まれる技術的事項の全てが本発明の対象となる。上記各実施の形態は、好適な例を示したものであるが、当業者であれば、開示した内容から様々な変形例を実現することが可能である。そうした場合にも、これらは添付した特許請求の範囲に含まれる。
【符号の説明】
【００３１】
１  切替装置、２  保護継電器、３  接続種類識別情報保持部、４  識別情報取得装置、５  ケース、６  回路ユニット、７  コントローラ、８〜１０  ケーブルコネクタ、１１  試験装置。
【図１】
2019168427.tif 000003
【図２】
2019168427.tif 000004